(57)【要約】【課題】帯状紙の装着が簡単に行え、巻き始めに外れることがなく、作業を迅速に行えるとともに中心部の詰まった美しい部品を作成可能にする。【解決手段】ニードルツール１１は、本体部１２、チャック部１４、保持部１５とニードル１３とから構成される。ニードル１３は、径が小さく形成されていて帯状紙を巻付けると中心部の詰まった美しい作品を作れる。また、ニードル１３の割り溝１６は、先端部１６ａが広い幅で、基端部で帯状紙の厚さ寸法に対応した狭い寸法で形成されている。これにより、帯状紙を装着しやすく、且つ装着した状態では外れ難く迅速且つ正確に巻付け作業を行うことができる。【選択図】　図１
2004131280.tif 000002
【特許請求の範囲】
【請求項１】
細長い帯状紙を先端部に巻きつけることにより渦状に巻き癖のついた手芸作品を作成するための手工具において、
細長い円柱状をなす本体部と、
この本体部の一端部に軸方向に固定され先端に前記帯状紙を挟むための割り溝が形成された巻付け体とを備え、
前記巻付け体の割り溝を、その巻付け体の先端部を幅広にすると共に深い位置では前記帯状紙の厚さに対応した幅に狭められた形状に形成されていることを特徴とする手工具。
【請求項２】
前記巻付け体の割り溝は、段階的に幅寸法が変化する形状に形成されていることを特徴とする請求項１記載の手工具。
【請求項３】
前記巻付け体の割り溝は、連続的に幅寸法が変化する形状に形成されていることを特徴とする請求項１記載の手工具。
【請求項４】
本体部は、基端部に回動可能に支持部が設けられていることを特徴とする請求項１ないし３のいずれか記載の手工具。
【請求項５】
前記本体部は、先端部に前記巻付け体を着脱可能に保持するチャック部を有した構成であることを特徴とする請求項１ないし４のいずれかに記載の手工具。
【請求項６】
請求項１ないし５のいずれかに記載の手工具を用いるときに使用する補助具であって、円筒状もしくは円盤状あるいはその組み合わせによる外形形状をなし、中心部に手工具の前記巻付け体が挿通可能な程度の径の貫通孔が形成された手工具用補助具。
【発明の詳細な説明】
【０００１】
【発明の属する技術分野】
本発明は、細長い帯状紙を先端部に巻きつけることにより渦状に巻き癖のついた手芸作品を作成するための手工具および手工具用補助具に関する。
【０００２】
【従来の技術】
この種のものとしては、例えばクイリング（Ｑｕｉｌｌｉｎｇ）と呼ばれる手芸があり、図８に示すようなニードルツールと呼ばれる手工具１を用いてクイリングペーパーと呼ばれる細長い帯状紙を渦巻き状に巻きつけて作品の部品となるものを作成している。
手工具１は、円柱状をなす長細い本体部２の先端に細い円柱状のニードル３を固定したもので、このニードル３の先端部分は割り溝３ａが形成されており、この割り溝３ａに帯状紙４の一端を挟み、ニードル３に巻きつけるようにして部品５を作成する（図９参照）。
このように作成した部品５は、巻き終わり部分を接着剤で止めた上で、指などで押さえることで外形を整える作業を行い、台紙などの上に配置して接着される。多数の部品５を作成して台紙上で適当な配置をすることで作品を制作するのである。
【０００３】
【発明が解決しようとする課題】
しかしながら、上述のような従来のものでは次のような不具合があった。すなわち、第１に、手工具１は、ニードル３が比較的太いもの（例えば、直径１．３〜５ｍｍ程度の範囲）が使われているため、製作する作品は図１０（ａ）に示すように中心部にニードル３の径よりも大となる部分５ａができるため、巻き始めの中心部６ａまで詰まった美しい理想的な部品６（同図（ｂ）参照）を作ることができない。
【０００４】
この第１の不具合については、単純にニードル３を細くすることで解決できるが、ニードル３を細くすると次のような別の技術的課題が発生する。つまり、ニードル３の径が細くなると、割り溝３ａに挿入したときに帯状紙４の挿入寸法が少なくなるため、巻き始め時に外れやすくなる。このため、割り溝３ａの幅寸法も狭くして帯状紙４を外れ難くすることが考えられる。すると、今度は帯状紙４の割り溝３ａへの挿入作業が難しくなる。この結果、１個の部品を製作するのに手間と時間がかかるようになり、効率を低下させることになる。
【０００５】
第２に、従来の構成の手工具１では、図９にも示しているように、慣れた作業者にとっては問題がない場合でも、帯状紙４をニードル３の先端部で巻くときに巻いている帯状紙４が外れないように指で押さえながら巻いていく必要があり、これは初心者などの慣れない者や手先があまり器用でない者にとっては高度な技術を要する作業となる。
【０００６】
クイリングという手芸は、まだ日本ではあまり知られておらず、換言すればこの手工具１を使用するのは初心者が多いということになるので、そう言う意味では手工具１の取り扱いに高い技術を要することから作品を仕上げるのに高度な技術を覚える前に辞めて行ってしまうこともあり、普及するのを阻害する要因となっている。
初心者でも簡単に取り扱うことができ、綺麗な作品を仕上げることができれば多くの人がやって見ようという興味が高まることになるので、普及させることに貢献することができるようになる。その場合でも、手工具１そのものが複雑な構成となったり高価なものになることは避ける必要がある。また、帯状紙４の巻きつけ作業が慣れてきた場合には、図９に示すようなやり方でも作業者にとって支障を来たすことがなくなることも考えられるので、その点も考慮されることが望まれるものである。
【０００７】
本発明は上記事情に鑑みてなされたものであり、その目的は、ニードル部分の径が細いものでも帯状紙の装着が簡単に行え、巻き始めに外れることがなく、作業を迅速に行えるとともに中心部の詰まった美しい部品を作成することができ、しかも、安価で初心者でも簡単に取り扱うことができるようにした手工具およびその補助具を提供することにある。
【０００８】
【課題を解決するための手段】
請求項１の発明によれば、細長い円柱状をなす本体部の先端部に巻付け体が、固定され、巻付け体に形成された割り溝に細長い帯状紙の先端を挟み、本体部を回転させることで帯状紙を巻き付けていくことができる。このとき、巻付け体の割り溝が先端部で広く、溝底部で狭くなるように形成されているので、割り溝に帯状紙を挟み込む際に、入れ易いことに加えて巻付け作業では、帯状紙が外れにくくなり作業性の効率を高めると共に、初心者でも簡単に帯状紙の巻き付け作業を行うことができるようになる。
【０００９】
請求項２あるいは３の発明によれば、巻付け体の割り溝が挿入部で広く巻付け作業を行う装着部では狭くなるように形成され、その溝幅が段階的あるいは連続的に変化するので、帯状紙を挿入しやすく、しかも装着部で装着した状態では巻き付けるときに外れにくい状態とすることができ使い勝手の向上を図ることができる。この場合、段階的に変化させるか連続的に変化させるかは、加工のし易さや使用する帯状紙の質や厚さ、あるいは使用者の好みに応じて適宜の選択をすれば良い。
【００１０】
請求項４の発明によれば、本体部の基端部に回動可能に支持部を設ける構成としているので、巻付け作業をする際に、支持部を手のひらに当てて本体部を回転させると、支持部は手のひらで固定された状態で本体部だけを回転させることができるので、安定した状態で巻き付け作業を行うことができるようになる。
【００１１】
請求項５の発明によれば、本体部を、先端部に巻付け体を着脱可能に保持するチャック部を有した構成としているので、種々の巻付け体を準備しておいて取り替えて使用することができるようになり、作品を作るのに、巻付け体と本体部とを一体に有する構成を必要としないので、安価に複数種類の巻付け体を揃えて使用することができるようになる。
【００１２】
請求項６の発明によれば、請求項１ないし５の手工具を用いるときに、巻付け体を貫通孔に挿通した状態で使用することで、手工具の先端側を指先で持って固定した状態で本体部を回転させることができるので、安定した巻付け作業を行うことができるようになる。特に初心者にとっては巻きつけている帯状紙を平坦な状態に保持させることができるので、使い勝手が良い。
【００１３】
【発明の実施の形態】
以下、本発明の一実施形態について図面を参照して説明する。◎
クイリング用の手工具であるニードルツール１１は、図１に示すように、本体部１２と巻付け体であるニードル１３とから構成されている。本体部１２はニードル１３を先端部に固定することができるようにチャック部１４を有する構成のもので、いわゆる精密ドライバーや小型のピンバイスなどのような構成となっている。
【００１４】
すなわち、概略的には円柱状をなす形状で、チャック部１４はねじ式のもので、ニードル１３を挿入して回転させるとチャックにより固定することができるように構成されている。本体部１２の把持部には軸方向に沿った溝１２ａが多数形成されていて、手で回転させるときに滑らないように構成されている。
なお、上記したように、ニードル１３は、本体部１２にチャック部１４で着脱可能に固定するので、必要に応じて種々のニードル１３と取り替えて装着することができる。これによってニードル１３の径がさまざまなものと取りかえることで、作品のバリエーションを豊富にすることができる。
【００１５】
本体部１２の基端部（エンド部）には軸周りに回転可能に取り付けられた保持部１５が設けられている。この保持部１５は、手で持ったときに掌で受けて保持しやすいように径大で長時間の作業を行っても掌に痛みや苦痛を感じないような形状に形成されている。また、掌に受けたときに滑らないように溝部１５ａが放射状に形成されている。
【００１６】
図２はニードル１３を拡大して示すもので、その太さは例えば１．０ｍｍ、０．８ｍｍあるいはそれ以下の径のものである。このニードル１３は、硬質な金属製のもので、先端部側が扁平な形状でこれを二分割するように割り溝１６が形成されており、基端部側が円柱形に形成されている。割り溝１６は、先端部１６ａ側で広く、基端部側で狭くなるように形成されている。この場合、先端部の割り溝１６が広い部分は後述するように帯状紙であるクイリングペーパー１７（図４参照）が装着しやすくなるように設定されており、基端部側の深い位置ではクイリングペーパー１７を挟み込んで巻付け作業時に外れ難くなるように設定されている。
【００１７】
図３は、ニードル１３の部分に装着して使う例えば３種類の補助具１８，１９，２０を示している。補助具１８は、同図（ａ）に示すように円筒状の形状をしており、中心部にニードル１３が挿通可能な程度の径で貫通孔１８ａが形成されている。同様に、補助具１９は、同図（ｂ）に示すように円盤状に形成されており、貫通孔１９ａが形成されている。補助具２０は、同図（ｃ）に示すように、円盤状の部材２０ａと円筒状の部材２０ｂとを組み合わせた複合的な形状をしており、貫通孔２０ｃが形成されている。
【００１８】
次に、ニードルツール１１および補助具１８から２０の使用方法について説明する。ここでは、クイリングについての初心者や慣れない者にとって有効な手段となる補助具１８〜２０を用いる場合を中心として説明する。
まず、ニードルツール１１のニードル１３部分に補助具１８（もしくは補助具１９、２０）の貫通孔１８ａを挿通させる。この状態では、ニードル１３の先端部分である割り溝１６部分が貫通孔１８ａを通って外部に突出した状態となる。
この状態で、図４に示すように、帯状紙であるクイリングペーパー１７を装着する。まず、同図（ａ）に示すように、割り溝１６の幅広な先端部１６ａにクイリングペーパー１７を挿入する。この後、割り溝１６の幅の狭い基端部１６ｂ側にクイリングペーパー１７を挟み込ませるようにして深く挿入する。このとき、できるだけクイリングペーパー１７の先端部が割り溝１６から出ないように短く残すように少し引きながら装着する。
【００１９】
次に、図５に示すように、右手ＲＨの掌に保持部１５を押さえつけるようにして、本体部１２を指で回せる状態に保持する。左手ＬＨは指先でクイリングペーパー１７を弛まないように押さえながらニードル１３の先端部を保持するようにする。この状態で、右手ＲＨの指で矢印Ｐで示すように本体部１２を回転させると、ニードル１３の先端に装着されたクイリングペーパー１７が巻き付けられて行く。この場合、巻回方向は矢印Ｐとは反対の方向で行うこともできるし、いずれか勝手の良い方向で巻回すれば良い。
所定の長さ分だけ巻付けると、ニードル１３を抜き取ることで巻き癖のついた部品（図１０（ｂ）参照）ができあがる。ニードル１３が細いものを用いるので、できあがった部品は、中心部まで詰まった美しい形状のものが得られるようになる。
【００２０】
図６は、同様にして補助具２０を用いて巻付け作業をしている状態を示している。この場合には、左手ＬＨの持ち方が少し変わるが、ニードル１３の保持とクイリングペーパー１７の押さえ方はほぼ同じような要領となる。これらの補助具１８〜２０は、使う人の使い勝手や作る部品の大きさあるいは使用するクイリングペーパー１７の幅寸法や紙質などさまざまな条件によって適宜のものを使用することができる。
【００２１】
そして、このように補助具１８〜２０を使うことによって、細いニードル１３の先端部に装着するクイリングペーパー１７の保持を簡単且つ確実なものとすることができ、初心者や慣れない人にとっても簡単且つ迅速にクイリングペーパー１７を巻付けることができるようになる。
また、ニードル１３の先端部に形成する割り溝１６を幅広な先端部１６ａと幅の狭い基端部１６ｂとの段階的に変化する幅寸法に設定しているので、ニードル１３を径の小さいものを使用する場合でも、クイリングペーパー１７を簡単に装着することができると共に、確実に挟み込んで巻付け作業を確実に行うことができるようになる。
【００２２】
図７（ａ）、（ｂ）、（ｃ）は本発明の他の実施形態を示すものである。同図（ａ）では、ニードルツール２１は、本体部２２は従来と同様のタイプのものを使用している。先端部に固定されるニードル２３は割り溝２４が一定の幅寸法で形成されていて、先端部２４ａのみがテーパー状に開いた形状にカットされているものである。このような形状のニードル２３を用いる場合でも、上記した実施形態と同様に、クイリングペーパー１７の装着が簡単且つ迅速に行えるようになる。
【００２３】
同図（ｂ）では、ニードルツール２５は、本体部２２にニードル２６が装着固定されている。ニードル２６の割り溝２７は、段階的に幅寸法が変化するように形成されている。また、同図（ｃ）では、ニードルツール２８は、本体部２２に前述した実施形態で使用しているニードル１３が装着固定されたものである。これらのニードルツール２５、２８によってもニードルツール２１と同様の作用効果を得ることができる。
【００２４】
本発明は、上記実施形態にのみ限定されるものではなく、次のように変形また拡張できる。
割り溝は、３段以上の段階的な幅寸法の変化を持たせる構成としても良い。
補助具の形状は円筒や円盤あるいはその組み合わせの形状に限らず、矩形状の物でも良いし、指先で保持しやすいように指の形状に沿うような形状とすることもできる。
【００２５】
補助具１８，１９，２０は、ニードルツール１１に装着したときに、ニードルツール１１の本体部１２と一体に回転できるように本体部１２に固定できる構成を採用することができる。これによって、クイリングペーパー１７の巻き付けの作業性を向上させることも可能である。
また、上記とは逆に、補助具１８，１９，２０は、ニードルツール１１に装着したときに、本体部１２に回動可能に装着する構成を採用することができる。これによって、補助具１８，１９，２０を軸方向に移動させることなく回転だけ自由にできるので、巻き付けの作業性を向上させることができる。なお、これらの着脱構成は、使用者の使い勝手の良い方を適宜選択して採用することができる。
ニードルの横断面は、円形でも良いし楕円形でも良いし、適宜の形状を設定することができる。
【図面の簡単な説明】
【図１】本発明の一実施形態を示すニードルツールの外観図
【図２】ニードルの外観図
【図３】補助具の外観図
【図４】ニードルへのペーパーの装着を説明する図
【図５】補助具を使用したペーパーの巻付け作業を説明する図（その１）
【図６】補助具を使用したペーパーの巻付け作業を説明する図（その２）
【図７】本発明の他の実施形態を示す図１相当図
【図８】従来例を示す図１相当図
【図９】ペーパーの巻付け作業を説明する図
【図１０】巻付けた部品の外観を示す図
【符号の説明】
１１，２１，２５，２８はニードルツール（手工具）、１２，２２は本体部、１３，２３，２６はニードル（巻付け体）、１４はチャック部、１５は保持部、１６，２４，２７は割り溝、１７はクイリングペーパー（帯状紙）、１８，１９，２０は補助具、１８ａ，１９ａ，２０ｃは貫通孔である。
【図１】
2004131280.tif 000003
【図２】
2004131280.tif 000004
【図３】
2004131280.tif 000005
【図４】
2004131280.tif 000006
【図５】
2004131280.tif 000007
【図６】
2004131280.tif 000008
【図７】
2004131280.tif 000009
【図８】
2004131280.tif 000010
【図９】
2004131280.tif 000011
【図１０】
2004131280.tif 000012